(57)【要約】
【解決手段】ゴルフコースに於けるパッテイング・グリーンに沈設する円筒カップであって、このホール開口部の内径は、ゴルフ規定の直径より大径に設定する。必要に応じて前記ホールの内径に対応した円筒外径の円筒カップを沈めて装着する。
【効果】カップに対するホールインの難易度を払拭し、ある程度のプレーヤーであれば容易にカップインが可能となる。パッテイング・グリーン上でのプレーを迅速に終了できる。既存のゴルフに対する志向と異なったエンタテイメント性の向上の実現を期待できる。
【選択図】　　　　図１
0003100032.tif 000002
【実用新案登録請求の範囲】
【請求項１】
ゴルフコースのパッテイング・グリーンのホールに沈設する円筒カップであって、この円筒カップの内径は、ゴルフ規則規定のホール直径１０８ミリメートルより大径に設計したことを特徴とするパッテイング・グリーンのホールに沈設する円筒カップ。
【請求項２】
ゴルフコースのパッテイング・グリーンのホールに沈設する円筒カップであって、前記円筒カップは、開口部と底部間の底部寄りに旗竿を差し込む差込孔を付設したトッププレート部を設けたことを特徴とする請求項１記載のパッテイング・グリーンのホールに沈設する円筒カップ。
【考案の詳細な説明】
【考案の詳細な説明】
【技術分野】
【０００１】　この考案は、ゴルフコースに於けるパッテイング・グリーンに沈めて実施するラージホール用円筒カップに関するものである。
【背景技術】
【０００２】　従来、パッテイング・グリーンに穿設されるホールについては、ホールは、直径１０８ミリメートル（４．２５インチ）で、深さは１００ミリメートル（４．０インチ）以上としなければならないとと規定され、さらに、円筒を挿着する場合は、土質の許す限り、パッテイング・グリーン面から少なくとも２５ミリメートル（１．０インチ）下に沈め、円筒の外径は１０８ミリメートル（４．２５インチ）以内でなければならないと規定されている。【０００３】　近時、健全なスポーツの一つとして一般大衆に浸透し、そのプレー人口は男女老若を問わず増加の一途を辿っている。最近発表された国内著名なシンクタンクや余暇センターのレジャー白書によると、ゴルフ場入場者数は将来的に拡大され、特に、ゴルフ競技のシニアに相当する年齢に達する団塊の世代等のゴルフアーや女性ゴルフアー、若手層のゴルフアーがより気楽にプレーできる環境作りが必要と説かれている。【０００４】　ゴルフプレーの大衆化の進展に伴って、ゴルフプレーを厳格なスポーツ競技としてのみ捉えるのではなく、レジャースポーツの一つとして遊びや娯楽の要素をより多く取り入れたいとするプレーヤーのエンタテイメント志向が強くなってきている。これらの要望に対応するために、ゴルフ場によっては、例えば、ショートホールでワンオンしたり、ミドルホールヤロングホールで規定のストロークより少ない打数でホールアウトしたとき等にキヤデイの手動操作によって一定時間噴水を噴出させる様にした施設を設けているゴルフ場もある。また、グリーン上でカップインした時カップインを自動的に検出し、或いはキャデイの手動操作で音響を発生させる何らかのパフホーマンスを演出しエンタテイメントを図っているゴルフ場も現れている。しかし、このような噴水設備や音響設備を設置するのはゴルフ場経営にとっては、コスト負担が増大することになる。【０００５】　さらに、レジャースポーツとして参加するプレーヤーの殆どは、パッテイング・グリーン上でのパッテイング・プレイが技術的に未熟であるのが現状であり、スロープレイの原因となっていた。
【考案が解決しようとする課題】
【０００６】　そこで，この考案はゴルフコースに於けるパッテイング・グリーン配置穿設するホールの外径（ホールの直径）をゴルフ規則に規定されている正規のサイズより大径に設定し、カップに対するホールインの難易度を払拭し、ある程度のプレーヤーであれば容易にカップインができ、パッテイング・グリーン上でのプレイを迅速にホールアウトできることを主目的とし、さらに副次的目的として、カップインを容易にすることによりホールインワンやアルバトロスの達成の可能性を高めたり、ゲーム的娯楽要素を取り込み、併せて該記念達成とリンクして特別な記念保険制度を確立し、プレー参加者のエンタテイメント性の向上を実現させるものである。
【０００７】　さらに、この考案によれば円筒カップを規定より大きな口径に設定することにより、ゴルフプレーをゴルフレジャーとして捉え、ホールカップを大きくセッテングすることでグリーンワークの難易度を容易にし、より広く楽しめるものとした。
　もとより、正規なゴルフプレーは厳しいルール・規則・マナー・技術の上に成り立つスポーツであるが、これは、その基本を歪めることなく、一方で今までにない新規なプレーの要素を付与させるものである。
【０００８】　先ずゴルフプレーが楽しく、面白くなければならないという普及拡大のためには絶対的要件が求められる。ゴルフ愛好者は、今競技志向からレジャー志向に向かっているなか、この考案に係る大きな口径のホールカップ（ラージカップ）ヲセッテイングすることにより、新規な楽しみ、喜びを発見し好スコアが期待でき、気楽にゴルフに取組みができ、シニア、レデイス、ジュニア、ビギナー等のゴルフアーが健康のため、フアミリィー、知人同士、仕事仲間の同僚達とストレスの解消に人事交流の場、コミニケーション作り、人との出会いに容易にゴルフに親しむことが可能となり、既存のゴルフに対する志向とちがったエンターテイメント性の向上の実現が期待できる。
【課題を解決するための手段】
【０００９】　前述の目的達成するため、この考案に係るゴルフコースのパッテング・グリーンに沈設する円筒カップの第１の考案は、この円筒カップの内径はゴルフ規定のホール直径１０８ミリメートルより大径に設計製作し、第２の考案は、こ円筒カップは、開口部と底部間の底部寄りに旗さお竿を差し込む差込好を付設したトッププレート部を設けたことを特徴とする。
【考案を実施するための最良の形態】
【００１０】　以下、この考案に係るパッティング・グリーンに於けるラージホールシステムにつき図面を参照して説明する。【００１１】　図面はこの考案の一実施例を示し、図１は、この考案に於ける円筒カップ１が、パッテイング・グリーン２に穿設したホール３に挿着いる状態を示している。このホール３の開口部３ａの内径は、ゴルフ規定（ＪＧＡ・Ｒ＆Ａ・ＵＳＪＡ）の直径である１０８ミリメートル（４．２５インチ）より大径に設定し、パッテイング・グリーン２に穿孔し地中に沈めて実施する。このホール３の内径数値は限定的なものでなく任意寸法に設定する。例えばプレイ日のプレイ人数が多い場合とか、プレイヤーがビギナーが多いときとか、天候条件が悪いとき或いはホールインワンやアルバトロスの達成の容易性やゲーム性等を考慮してホール３の内径（ホールの孔の大きさ）を設定する。【００１２】　前記ホール３に挿着する円筒カップ１は、前記ホール３の外径に適応する円筒外径に形成し、必要に応じて、円筒カップ１の内径は、ゴルフ規則既定の直径１０８ミリメートルより大径に製作設計し、前記ホール３の開口部３ａから地中に穿孔したホール３内に沈めて装着すと共に、この円筒カップ１の孔径（内径・孔の大きさ）は、限定的なものでなく、前記ホール３の内径数値に適応した孔径に設計製作する。
　前記円筒カップ１を装着するときは、ゴルフ規定（円筒カップをはめ込む場合は、土質の許す限り、パッテイング・グリーン面から少なくとも２５ミリメートル下に沈める）に制限される必要はなく、必要に応じて任意位置に埋め込み設置する。【００１３】　前記円筒カップ１の開口部１ａと底部１ｂ間の底部寄りには、旗竿（ホールの位置を示すためにホールの中心に立てられる動かせる標識）を差し込み直立できる筒状の差込孔４を付設したトップ・プレート部５を装着固定してある。この差込孔４には雨水等が貯まらず地中に浸透させるための水抜き孔（図示せず）を設けてある。
【考案の効果】
【００１４】　以上説明したように、この考案に係るパッテイング・グリーンのラージホールに沈設する円筒カップによれば、特別の競技志向のゴルフプレーヤを除き、ゴルフに親しむすべての技量の持ち主も良いスコアでプレイすることが可能となり、プレイ時間も極端に短縮でき、誰にでも楽しみながらスロープレーが極減でき、また、カップインの容易さからビギナーもローハンデー者と同じようなプレー感を取得できると共にゴルフプレーの技術困難性の解消は、女性、高齢者、若年層、ビギナープレイヤーのゴルフ人口の増加につながる。
　さらに、容易にゴルフに親染むことが可能となりジュニアのゴルフ人口育成にも大いに役立ちその実施が期待されている。
【００１５】　以上説明したように、この考案のゴルフコースのパッテイング・グリーンのホールに沈設する円筒カップによれば、既存のゴルフコースのパッテイング・グリーンに設けるホールのカップ径をゴルフ規則に規定されている正規のサイズより大径に設定することにより、カップに対するホールインの難易度を払拭し、ある程度のプレーヤーであれば容易にカップインが可能となり、パッテイング・グリーン上でのプレーを迅速に終了でき、さらに、カップインの難易性を緩和することによりホールインワンやアルバトロスの達成確立を高め、併せて、この達成記念とこの考案特有のラージホール記念保険制度等を創作し、これとリンクさせたことにより、既存のゴルフに対する志向と異なったエンタテイメント性の向上の実現をも期待できる。
【図面の簡単な説明】
【図１】この考案に於ける円筒カップの実施状態を示す縦断面図である。
【符号の説明】
１　円筒カップ
２　パッテイング・グリーン
３　ホール
４　差込孔
５　トップ・プレート部
【図１】
0003100032.tif 000003